(57)【要約】      （修正有）【課題】いわゆる計り売りを電子的なシステムによって効率的に行うことのできる重量計測器、及びシステムを提供する。【解決手段】情報記憶装置および演算装置を有する重量計測器であって、重量計測部と、少なくとも対象物の重量に関連する重量関連情報と前記重量計測部で計測された情報とを格納するための情報記憶部と、前記重量関連情報と前記重量計測部において計測された重量値に基づいて所定の情報を算出する演算制御部と、前記情報記憶部に格納されたデータを送信することができる通信部と、データキャリアに情報を情報記憶部から読出すか、または、データキャリアからデータを情報記憶部に書き込みを行うためのＲＦＩＤタグリーダ／ライタとを具備する。【選択図】  図１
2005010951.tif 000002
【特許請求の範囲】
【請求項１】
重量計測器であって、
重量計測部と、
少なくとも対象物の重量に関連する重量関連情報を格納するための情報記憶部と、
前記重量関連情報と前記計測した重量値に基づいて所定の情報を算出する演算制御部と、
前記情報記憶部に格納されたデータ又は、演算制御部で算出した結果を送信することができる通信部と、
データキャリアから情報を読み出すか、又は、データキャリアに情報を書き込むためのリーダ／ライタとを具備する重量計測器。
【請求項２】
前記算出された情報を前記情報記憶部に格納することができる請求項１に記載の重量計測器。
【請求項３】
外部と通信できる外部入出力部を具備する請求項１又は２に記載の重量計測器。
【請求項４】
商品の料金を計算する会計システムにおいて、
（１）  データキャリアを具備する容器と、
（２）  商品の重量を計測する計測部と、所定の情報の入出力を行う通信部を有する重量計測器と、
（３）  前記データキャリアの情報から料金を計算する精算器と、
を有するシステム。
【請求項５】
重量計測器は、商品の単位重量当たりの金額を記憶することができる情報記憶部を有する請求項４に記載のシステム。
【請求項６】
重量計測器は、計測部で計測した商品の重量と情報記憶部に記憶された情報に基づいて商品の料金を計算する演算制御部を有する請求項４又５のいずれかに記載のシステム。
【請求項７】
重量計測器は、外部入出力装置を有しネットワークに接続できる請求項４乃至６のいずれかに記載のシステム。
【請求項８】
容器はトレー、皿、袋、かご、箱を含む請求項４乃至７のいずれかに記載のシステム。
【請求項９】
重量計測器は、情報を表示する表示部を有する請求項４乃至８のいずれかに記載の装置。
【請求項１０】
商品の料金を計算する会計方法であって、
（１）  重量を計測する過程と、
（２）  計測した重量と、商品の単位重量当たりの金額に基づいて料金を計算する過程と、
（３）  データキャリアに商品の重量又は金額を書き込む過程と、
（４）  データキャリアから商品の料金を読み込む過程と、
を有する会計方法。
【請求項１１】
商品の料金を計算する会計方法であって、
（１）  重量を計測する過程と、
（２）  計測した重量と、商品の単位重量当たりの金額に基づいて料金を計算する過程と、
（３）  データキャリアに商品の識別符号、商品の重量、金額のいずれかを書き込む過程と、
（４）  データキャリアから商品の識別符号、商品の重量、金額のいずれかを読み込む過程と、
を有する会計方法。
【請求項１２】
データキャリアには容器の重量が記憶され、該容器の重量と容器と商品を含めた全重量を測定し、該測定値から容器の重量を差し引いて商品の重量を計算する請求項１０又は１１のいずれかに記載の方法。
【請求項１３】
データキャリアには容器の重量、計測した各商品の重量が記憶され、前記容器の重量及び各商品の合計重量の和から、新たに計測した全重量を差し引いて商品の重量を計算する請求項１０又は１１のいずれかに記載の方法。
【請求項１４】
会計終了後データキャリアの所定のデータを消去する請求項１０乃至１４のいずれかに記載の方法。
【発明の詳細な説明】
【０００１】
【発明が属する技術分野】
本発明は情報処理機能を有する会計システムに関し、より詳細には例えばＲＦＩＤタグのような情報記憶装置を有するトレーと、該トレーに所定の情報を入力し、会計時に入力された情報を読み出すシステムに関する。
【０００２】
【従来の技術】
【先行技術文献】
特開平１０−０７８９８３
【０００３】
従来バイキング形式のレストランなどでは個人の好みに合わせて適量をトレー等に取る形式であるが会計については事前に所定の料金を支払うか、取った皿の枚数などで料金を計算するシステムが採用されている。しかしバイキング形式の場合、個人の好みの量を取りこの量に合わせて料金計算を行うことが望まれている。
【０００４】
【発明が解決しようとする課題】
従って本発明ではトレー又は皿に取った量に応じて料金を計算する会計システムの提供を課題とする。
【０００５】
【課題を解決するための手段】
重量計測器であって、重量計測部と、少なくとも対象物の重量に関連する重量関連情報を格納するための情報記憶部と、前記重量関連情報と前記計測した重量値に基づいて所定の情報を算出する演算制御部と、前記情報記憶部に格納されたデータ又は、演算制御部で算出した結果を送信することができる通信部と、データキャリアから情報を読み出すか、又は、データキャリアに情報を書き込むためのリーダ／ライタとを具備する重量計測器を提供する。これによって対象物の重量に応じた情報を得ることができる。次に前記重量計測器が情報記憶部または外部と通信ができる外部入力部、及び情報を表示することができる表示部を有し、算出された情報を前記情報記憶部に格納することができる装置を提供する。これによってデータ入力及び認識が容易になり、またデータを保存することができる。
【０００６】
このような重量計測器の応用例として、商品の料金を計算する会計システムにおいて、（１）データキャリアを具備する容器と、（２）商品の重量を計測する計測部と、所定の情報の入出力を行う通信部を有する重量計測器と、（３）前記データキャリアの情報から料金を計算する精算器とを有するシステムを提供する。さらに該重量計測器は、商品の単位重量当たりの金額（以下単位重量金額と称する）を記憶することができる情報記憶部、計測部で計測した商品の重量と情報記憶部に記憶された情報に基づいて商品の料金を計算する演算制御部、外部入出力装置を有しネットワークに接続できる装置を有する。これによっていわゆる計り売りを電子的に実現することができる。前記容器はトレー、皿、袋、かご、箱などが利用でき、また該重量計測部は情報を表示する表示部を有している。これにより商品に適した様々な容器を使用することができ、さらに情報を表示することによってユーザフレンドリなシステムを実現することができる。
【０００７】
このような装置又はシステムを用いた会計方法として、商品の料金を計算する会計方法であって、（１）重量を計測する過程と、（２）計測した重量と、商品の単位重量当たりの金額に基づいて料金を計算する過程と、（３）データキャリアに商品の重量又は金額を書き込む過程と、（４）データキャリアから商品の料金を読み込む過程と、を有する会計方法を提供する。これに加え、データキャリアに商品の識別符号、商品の重量、金額のいずれかを書き込む又は読み込む方法も提供する。これによって前記システムを用いて電気的に計り売りを行うことができる。
【０００８】
本方法はさらに、データキャリアには容器の重量が記憶され、該容器の重量及び容器と商品を含めた全重量を測定し、該測定値から容器の重量を差し引いて商品の重量を計算する方法を提供する。またデータキャリアには容器の重量、計測した各商品の重量が記憶され、前記容器の重量及び各商品の合計重量の和と、新たに計測した全重量から新たな商品の重量を計算する方法も提供する。これによって各商品の重量をそれぞれ計測できる。
【０００９】
最後に会計終了後データキャリアの所定のデータを消去する。
【００１０】
【発明の実施形態】
最初に本明細書全体に渡って使用している用語「重量」を「質量」と読み替えても本発明の範囲に含まれる。
【００１１】
以下に本発明の実施例を図を用いて説明する。図１は皿（５）にデータキャリア（２）の例としてＲＦＩＤタグを搭載した場合の実施例であり、該ＲＦＩＤタグにリーダ／ライタ機能を有する重量計測器（以後Ｒ／Ｗはかりと称する）（３）によってデータの読み込み、書き込みを行う。このＲ／Ｗはかりは前記データキャリア（２）と通信を行うためのアンテナ（４）、及び演算制御装置（図示しない）を有しており、アンテナ（４）の受信可能範囲にデータキャリアが存在すると、演算制御装置の働きによりデータキャリア（２）からデータを読み込み、該データに基づいて所定の演算処理をする。演算結果は再びアンテナ（４）を通じてデータキャリア（２）に書き込まれる。このアンテナは例えばループ型のアンテナである。従って当該Ｒ／Ｗはかり（３）はデータキャリア（２）に記憶されている情報から、該はかりで計測した重量に関連した新たな情報を生成する機能を有している。また該Ｒ／Ｗはかりには情報を表示する表示装置（６）を有しており演算結果、データキャリアに記憶されている情報、もしくはこれらの情報に関連した他の情報を表示することができる。
【００１２】
またＲ／Ｗはかりは情報記憶装置及び外部入出力部を有しており、重量を計測する被計測物に関連した情報を記憶することができ、該情報は適宜外部入出力部を通じて変更することができる。
【００１３】
本発明のＲ／Ｗはかりの使用例としては、例えば料理等を載せる皿あるいはトレーなどが考えられる。図１において皿（５）には該皿（５）自身の重量が記憶されているデータキャリア（２）が搭載されており、該皿に料理あるいは飲料などの商品を適量取りＲ／Ｗはかり（３）に載せる。該Ｒ／Ｗはかりでは皿を含めた重量を計測し、次に該Ｒ／Ｗはかりに内蔵されたアンテナ（４）を通じて当該皿（５）のデータキャリア（２）から皿（５）の重量を読み込み、計測した全重量から該皿（５）の重量を引くことによって前記商品の正味の重量を該はかり（３）に内蔵された演算制御部で算出する。次に該Ｒ／Ｗはかり（３）の情報記憶装置に記憶されている料理の単位重量金額と、皿をはかりに載せたときに計測される料理の重さとから、皿（５）に取った商品の金額を前記演算制御部で計算し結果をデータキャリア（２）に書き込む。このようにして任意に取った商品の料金を計算することができる。従って従来は皿単位で行っていた料金計算を、商品の重量によって計算するいわゆる「計り売り」を電子的なシステムによって実現することができる。
【００１４】
次に当該Ｒ／Ｗはかりを用いた会計システムの実施例を説明する。図２に示したようにテーブルにデータキャリア（２）を搭載した皿（５）、料理を載せた大皿（７）、及びＲ／Ｗはかり（３）が１つの区画（１０）として配置されている。客はテーブルの皿（５）を取り、好みの量だけ料理を皿に取り該皿をＲ／Ｗはかり（３）に載せる。該Ｒ／Ｗはかりは料理の重量を計測し計測結果をアンテナ（４）を通じてデータキャリア（２）に書き込む。よって該キャリア（２）には料理の重量に応じた情報が記録されることになる。またＲ／Ｗはかりはテーブルの各区画にそれぞれ設置されているため、計測した重量と共に該当する商品の単位重量金額をデータキャリア（２）に書き込む。
【００１５】
このようにして各区画（１０）で重量及び単位重量金額が各皿（５）に書き込まれ、最後に会計レジで合計金額が計算される。図３にはバイキング形式のテーブルの上面図を示した。上記のように各区画（１０）で適量の商品を取り、皿を載せたトレーを会計テーブル（９）のＲ／Ｗはかり（３）に載せると該Ｒ／Ｗはかり（３）は各皿のデータキャリアに記録された金額を読み込み、精算器（８）で合計金額を計算する。計算結果は該精算器（８）等に表示され会計を終了する。
【００１６】
ここで会計処理に関していくつかの実施例が考えられるので以下に説明する。上記の例ではデータキャリア（２）には商品の重量が書き込まれるが、例えば各Ｒ／Ｗはかり（３）の有する演算制御装置（図示しない）により、皿（５）をＲ／Ｗはかり（３）に載せたときに商品の重量と単位重量金額から、取った商品の量に応じた金額を計算し、アンテナ（４）を通じてデータキャリアに当該料金を書き込むこともできる。この場合精算器（８）では会計の際、各皿のデータキャリアから金額データを取得し会計処理をすることになる。
【００１７】
またＲ／Ｗはかり（３）は商品、つまり料理を識別できる識別符号をデータキャリア（２）に書き込むことで、皿に取った料理を識別することができ、客が好みの大きさの皿を使用することができる。このＲ／Ｗはかりの表示部（６）に皿（２）に取った料理の重量や料金をその場で表示することもできる。また表示する情報はその料理に関連する情報として例えば熱量等でも良い。さらに精算器（８）にも表示装置が設けられ合計金額等が表示される。会計終了後データキャリア（２）はフォーマットされ書き込んだデータは消去される。
【００１８】
上記実施例は皿にデータキャリアが設けられたものであるが、トレー自体にデータキャリアを搭載することもできる。次にこの場合の実施例を説明する。
【００１９】
図４はトレー（１）に区画された領域（１１）が形成されており、各領域に料理等の商品を取る形式のトレーである。該トレー（１）にはデータキャリア（２）が搭載される。Ｒ／Ｗはかり（３）は上記記載のものと同様である。前記記載と同様にトレー（１）の重量はあらかじめデータキャリア（２）に書き込まれており、全体の重量からトレーの重量を差し引くことによって商品の重量を計測することができる。図３に示したようなビュッフェ等で客は最初の区画で商品を該トレー（１）に取り、Ｒ／Ｗはかりに載せる。このとき該Ｒ／Ｗはかりは全体の重量から前記トレーの重量を差し引いた正味の商品の重量をデータキャリア（２）に書き込む。次の区画で商品をトレー（１）の所定の領域に取り、該区画のＲ／Ｗはかりにトレーを載せると、データキャリア（２）に書き込まれている情報を読み込み、全体の重量からトレー（１）の重量、すでに計測した商品の重量をそれぞれ引いて該区画で取った商品の重量を計算する。この計算結果を当該商品の重量としてデータキャリアに書き込む。このとき前回までに計測した商品の重量は消去しない。このようにしてそれぞれの区画で商品の重量を計算してデータキャリア（２）に書き込み、会計テーブル（９）の精算器（８）で合計金額を計算する。会計終了後にデータキャリア（２）をフォーマットする。
【００２０】
本実施例においてもＲ／Ｗはかりで重量を計算すると同時に料金を計算し、データキャリア（２）に書き込むことができる。またデータキャリアには各区画のＲ／Ｗはかりに固有のＩＤ番号を書き込み商品の種類等の情報を管理することができる。
【００２１】
以上説明した実施例をまとめると、本発明のシステムにおいて取り扱う情報は商品の単位重量金額、商品の重量、商品の金額、及び商品識別情報である。これらの情報のうち単位重量金額はデータキャリア、Ｒ／Ｗはかり、及び精算器のいずれかに書き込むことができる。商品の重量、商品の金額、商品識別情報はデータキャリアに書き込むことができる。しかしながら本発明はこれに限定されるものではなく、例えば固有のＩＤ番号が与えられた各皿のデータキャリアに商品識別情報のみ書き込み、該ＩＤ番号、商品の重量、金額等はネットワークで結ばれたＲ／Ｗはかりを通じて精算器に送信され、会計時に該ＩＤ番号と照合して各人の合計金額を計算するシステムも本発明に含まれる。
【００２２】
【発明の効果】
本発明の重量計測器を用いていわゆる計り売りを電子的なシステムで効率よく行うことができ、特にビュッフェ形式のレストラン等での効率的な会計システムを実現できる。
【図面の簡単な説明】
【図１】図１は本発明の会計システムのうち、データキャリアが皿に搭載されている実施例である。
【図２】図２は図１のシステムがビュッフェ形式のレストランに配置されている図である・
【図３】図３は図２の会計システムの上面図である。
【図４】図４は本発明の会計システムのうち、データキャリアがトレーに搭載されている実施例である。
【符号の説明】
１  トレー
２  データキャリア
３  Ｒ／Ｗはかり
４  コイル
５  皿
６  表示部
７  大皿
８  精算器
９  会計テーブル
１０  区画
１１  トレーの領域
【図１】
2005010951.tif 000003
【図２】
2005010951.tif 000004
【図３】
2005010951.tif 000005
【図４】
2005010951.tif 000006